(57)【要約】【課題】  身箱とその蓋とからなる被せ箱において、身箱内部に収容した商品に直接的に荷重が加わることなく、しかも使用包装材料の少ない被せ箱用蓋材を提供すること。【解決手段】  包装箱に外嵌め状態に被せて使用する紙製蓋材であって、略矩形の天板と、その天板の４周縁に形成した４側板と、隣接する２枚の側板のうち一方の側板の側縁に折目を介して連接した連結用フラップ片とを有し、該連結用フラップ片を、前記折目を介し折り曲げて他方の側板の内面に重合し接着することにより、前記一方の側板と他方の側板とを互いに連結すると共に、前記連結用フラップ片の一部に３枚の折返部を連続して設け、前記一方の側板と他方の側板の連結時に、前記折返部で他方の側板の内側に、断面が三角形状または溝形をなす棚状構造体を形成し、紙製蓋材を包装箱上に外嵌め状態に被せたときに該棚状構造体を前記包装箱の周壁の上端部に係止するようにしたことを特徴とする。【選択図】      図１
2006103734.tif 000002
【特許請求の範囲】
【請求項１】
上面が開口した身箱に外嵌め状態に被せて使用する紙製蓋材であって、略矩形の天板と、その天板の４周縁に形成した４側板と、隣接する２枚の側板のうち一方の側板の側縁に折目を介して連接した連結用フラップ片とを有し、該連結用フラップ片を前記折目を介し折り曲げて他方の側板の内面に重合し接着することにより、前記一方の側板と他方の側板とを互いに連結すると共に、
前記連結用フラップ片の一部に３枚の折返部を連続して設け、前記一方の側板と他方の側板の連結時に、前記折返部で他方の側板の内側に棚状構造体を形成し、紙製蓋材を包装箱上に外嵌め状態に被せたときに該棚状構造体で前記身箱の周壁の上端部に係止するようにしたことを特徴とする被せ箱用紙製蓋材。
【請求項２】
前記棚状構造体は、前記３枚の折返部を、前記他方の側板の内側に巻き込んで断面三角形状または溝形に形成するようにしたことを特徴とする請求項１に記載の被せ箱用紙製蓋材。
【請求項３】
前記棚状構造体を構成する前記３枚の折返部のうち外側の１枚を、他方の側板の内側に接着にしたことを特徴とする請求項１又は２に記載の被せ箱用紙製蓋材。
【発明の詳細な説明】
【技術分野】
【０００１】
本発明は、身箱と蓋材とから成る被せ箱において、収容する商品の上部が露出するようにした身箱の上端開口を閉塞する被せ箱用紙製蓋材に関するものである。
【背景技術】
【０００２】
中元、歳暮時期のギフト商品を収容する包装箱として、上端が開口した箱本体（身箱）と、箱本体の上面を被う蓋材とから成る被せ箱形式の贈答箱が広く使用されている。近年、この包装箱は、蓋材を開けてギフト商品を箱本体に収容させた状態で店頭に展示する際に、見栄えが良く、また購入者が商品を確認し易くするために箱本体の周壁を商品の全高より低くし、商品の上部が箱本体から露出するように構成している。
【０００３】
このような包装箱を使用して、蓋材をした状態で積み重ねたり、搬送時に上部に他の物が載せられた場合には、その荷重が商品に直接的に加わり損傷するという問題がある。そのため、従来は、蓋材の内部に、該蓋材の天壁と箱本体の周壁の上端との間に所定の隙間を形成するための天パッド（スペーサ）を配設していた（特許文献1〜2参照）。
【０００４】
しかし、この構成では、箱本体と、蓋材と、天パッドとの３部材が必要になるため、包装経費のコストアップ及び組立作業性やこれらのブランクの保管にかかわるスペースが広くなるという問題がある。そこで、蓋材に箱本体の上端との間に所定の隙間を形成する構造を一体に設けることが要望されている。
【０００５】
このような蓋材に関連する先行技術としては特許文献３に示すものがある。
【０００６】
【特許文献１】特開２００４−０１８０２７号公報
【特許文献２】特開２００３−１７５９８１号公報
【特許文献３】特開２００４−２５６１７２号公報
【０００７】
前記特許文献3の蓋材では、箱本体と同一形状の天壁の外周縁にそれぞれ側壁を連接し、隣接する側壁の一方の下部に糊代部を設けると共に、隣接する側壁の上部にこれら側壁に連続する係止段部を設け、その係止段部を内向きに折り込んで糊代部を隣接する他方の側壁に貼着することにより、係止段部を隣接する側壁の稜部から内向きに突出させたものである。その係止段部の構造は、隣接する側壁の上端の隅部から所定の角度で傾斜して略３角形状のヒレを内向きに突出するようにしたもので、箱本体の周壁の上端部に係止する構成としている。そのため、この蓋材によって箱本体を閉塞した場合、前記略３角形状のヒレである係止段部が箱本体の上端部を係止することにより、商品に蓋材の天壁が当接しないように構成することができる。
【発明の開示】
【発明が解決しようとする課題】
【０００８】
しかしながら、前記包装箱の蓋材は、隣接する側壁の上端の隅部から所定の角度で内向きに突出した略３角形状のヒレ部を設けたものであるから、そのヒレ部は組立安定性に欠き、横に角度ブレしやすい。さらに、略３角形状のヒレ部は単に３角形の２枚の板を重ね合せたものであるので強度的に弱く、またヒレ部を内側に折込むための側壁の接合面に隙間やピンホールが生じ、美観を損う（図１０、１１参照）。
また、身箱の高さが低い時に、係止段部を高くした場合も、高さだけでなくヒレ部全体のサイズを大きくしなければならないので、係止段部が身箱内側迄突出しまう。その結果、内容物を傷付けるおそれがある。従って、身箱の高さが変動したときに蓋の嵌合深さの調節が難しい構造である。
【０００９】
そこで、本発明では、従来の課題を解決した包装箱の蓋材を提供するものであるが、上記従来の略３角形状のヒレ部からなる係止段部と異なり、組立て後の安定性に優れ、横に角度ブレしにくく、そのうえ強度も高く、また上面が開口した身箱上に外嵌め状態に被せて使用する時に、身箱の高さに合せて蓋の嵌合深さ調節が容易な紙製蓋材を提供することを課題とするものである。
【課題を解決するための手段】
【００１０】
前記課題を解決するため、本発明の第１は、上面が開口した身箱に外嵌め状態に被せて使用する紙製蓋材であって、略矩形の天板と、その天板の４周縁に形成した４側板と、隣接する２枚の側板のうち一方の側板の側縁に折目を介して連接した連結用フラップ片とを有し、該連結用フラップ片を、前記折目を介し折り曲げて他方の側板の内面に重合し接着することにより、前記一方の側板と他方の側板とを互いに連結すると共に、
前記連結用フラップ片の一部に３枚の折返部を連続して設け、前記一方の側板と他方の側板の連結時に、前記折返部で他方の側板の内側に棚状構造体を形成し、紙製蓋材を包装箱上に外嵌め状態に被せたときに該棚状構造体で前記身箱の周壁の上端部を係止するようにしたことを特徴とする被せ箱用紙製蓋材である。
【００１１】
本発明の第２は、前記棚状構造体は、前記３枚の折返部を、前記他方の側板の内側に巻き込んで、断面三角形または溝形に形成するようにしたことを特徴とする第１の発明に記載の被せ箱用紙製蓋材である。
【００１２】
本発明の第３は、前記棚状構造体を構成する前記３枚の折返部のうちの１枚を、他方の側板の内側に接着したことを特徴とする第１の発明又は第２の発明に記載の被せ箱用紙製蓋材である。
【発明の効果】
【００１３】
本発明の蓋材では、商品を収容した身箱の上端を閉塞した場合、蓋材の内側に突出した前記棚状構造体が身箱の周壁の上端に係止するため、その蓋材は、箱本体の周壁の上端から所定間隔をもって上方に浮いた状態に保持される。そのため、この蓋材を適用した包装箱を積み重ねたり、搬送時に上部に軽い他の物が載せられても、その荷重が商品に直接的に加わることはない。
【００１４】
また、前記棚状構造体は特許文献３のように単なるヒレ状のものと異なり、断面三角形状または溝形であるので、組み立て後の安定性に優れ、横に角度ブレしにくく、そのうえ強度も高い。また棚状構造体（Ｘ）の高さを、幅（Ｙ）とは関係なく増減させることが可能なので、包装設計の際に、身箱の深さに応じて蓋材の嵌合深さの調節が容易である。
【発明を実施するための最良の形態】
【００１５】
以下、本発明の実施形態を図面に従って説明する。図１〜３は本発明の第１の実施例に係る紙製蓋材１０を適用した贈答箱を示す。この贈答箱の蓋材１０は、商品１の上部が露出する身箱２上に外嵌め状態に被せ、身箱２の上面を閉塞する。
【００１６】
身箱２は、図３にも示すように矩形状をなす底壁３の各外周縁に４方を囲繞する周壁４を設けたものである。この周壁４は、底壁３に連続する外側面４ａと、該外側面４ａに連続して内側に折り返される内側面４ｂとからなる２重壁からなる。また、この周壁４は、内部に収容する商品１の全高Ｔ１より低い高さＴ２に設定されている。
図１に示すように、本実施形態の蓋材１０を身箱２の上面に外嵌め状態に被せたときは、内向きに突出した棚状の構造部１９が箱本体の周壁の上端に係止するため、その蓋材は、箱本体の周壁の上端から所定間隔をもって上方に浮いた状態に保持される。そのため、この蓋材を適用した包装箱を積み重ねたり、搬送時に上部に他の物が載せられても、その荷重が商品に直接的に加わることはない。
【００１７】
次に、本発明の紙製蓋材を図４に基づき説明する。図示の蓋材１０は、一例として、段成形された中芯原紙の両面にライナー原紙を貼合した両面段ボールを使用して組み立られるが、使用する段ボールは要求される性能に応じて、適当な肉厚の段ボールが使用できる。例えば、業界でＥ段と呼ばれている段高が１．２ｍｍ程度の段ボールや、前記Ｅ段よりも段高が低い、０．４〜１．０ｍｍ程度のマイクロフルート段ボールを使用して組み立ることも可能である。勿論、段ボール以外の厚紙、単紙板紙等を使用してもよい。
上記の段ボール又は厚紙などから図４のような形状の連続した一枚のブランクを打ち抜いて紙取りした後、そのブランクを身箱２の上面に外嵌め状態に被せることができるように、４隅貼りしてボックス状に成形される。なお、蓋材の大きさは、使用する身箱の大きさに応じて形成されるものである。
【００１８】
図４に基づいてこの蓋材１０の具体的な構成を説明する。図示のように蓋材１０は、素材である段ボールシートの中央部に略矩形の天板１１を設け、該天板１１の各外周縁に、４枚の側板１２Ａ，１２Ｂ，１２Ｃ，１２Ｄを連設し、これら天板１１と側板１２Ａ〜１２Ｄの境界部分には、側板を天板に対して略直角に折り曲げることができるように、折目１３が設けられている。
【００１９】
また、４枚の側板１２Ａ〜１２Ｄのうち、上下に位置する側板１２Ｂ，１２Ｄの側縁には、隣接する側板１２Ａ，１２Ｃに貼着するための連結用フラップ片１４が折目１５を介して設けられている。
【００２０】
各連結用フラップ片１４において、隣接する他方の側板１２Ａ、１２Ｃ側には、前記連結用フラップ片１４の一部に連続する３枚の折返部１６を切込線１７により形成する。この３枚の折返部１６は、後述するように一方の側板と他方の側板の連結時に、２本の平行な折目１８より巻き込むことにより、断面直角３角形または溝形に折り込むことができるように構成されている。
【００２１】
図５は組立状態の要部斜視図である。同図は、本発明の蓋材を図４の状態から４隅貼りしてボックス状に成形する際に、一方の側板と他方の側板とを連結した状態を示している。図面に表れているように、３枚の折返部１６は他方の側板１２Ａの内側に固定する。固定に際しては図６（1）〜（4）の説明図にも示したように、連結用フラップ片１４の下側に設けた折返部１６を他方の側板１２Ａの内側にくるように断面３角形の柱状に巻き込むようになし、かつ３枚の折返部１６Ａ〜１６Ｃのうち外側の１枚と、連結用フラップ片１４とに対してホットメルトなどの接着剤Ｇを吹き付けて側板１２Ａと固着する。このようにすると、蓋材１０の内側に図１に示すように、身箱２の周壁４の上端に係止する棚状構造体１９が突設される。この棚状構造部１９は、組立状態で前記連結用フラップ片１４の上部で、かつ天板１１の４隅部に位置する。なお、棚状構造体は、断面が略直角三角形状であることが強度、安定性の面で、最も好ましい。
【００２２】
本実施形態では、蓋材１０は、段成形された中芯原紙の両面にライナー原紙を貼合した両面段ボールを使用して組み立られているために、例えば図５および図６に示す組立状態において、棚状構造体１９を構成する段ボールの段（フルート）方向Ｆを、蓋成形時の天板１１に対して垂直な方向に配置した場合には、この蓋材を適用した包装箱を積み重ねたり、図９のような店頭展示時に上部に他の物が載せられても棚状構造体１９の強度は高く、棚状構造体１９のクラッシュが防止できる。
また棚状構造体１９の高さは、連結用フラップ片１４に切込線１７を設けるとき、その切込み線の位置を変えることで任意に設定できるから、身箱の高さに応じて、蓋材の嵌合深さの調節が容易である
【００２３】
なお、本発明の包装箱の蓋材１０は、前記実施形態の構成に限定されるものではなく、種々の変更が可能である。
【００２４】
例えば、図７及び図８に例示したように、各連結用フラップ片１４において、切込線１７をＬ字形に形成することにより、前記連結用フラップ片１４に連続する３枚の折返部をアングル状に連続するように構成してもよい。このようにした場合は、前記３枚の折返部１６Ａ〜１６Ｃを折目１８を介して図８のように、下向き溝形に折り込んでから、側板１２Ａと側板１２Ｂとを固着することで、蓋材の内側に棚状構造体１９を形成することが可能である。
【図面の簡単な説明】
【００２５】
【図１】本発明の紙製蓋材によって商品を収容した身箱を閉塞した状態を示した斜視図である。
【図２】同上蓋材の一部を切開した状態を示す斜視図である。
【図３】身箱と商品との関係を示した斜視図である。
【図４】蓋材の展開状態を示す平面図である。
【図５】蓋材の組立状態を示す要部斜視図である。
【図６】蓋材の組立説明図である。
【図７】蓋材の他の例を示すものであり、蓋材の展開状態を示す平面図である。
【図８】図７に示す蓋材の展開状態を示す平面図である。
【図９】店頭展示状態を示す斜視図である。
【図１０】側壁の接合部にピンホールを生じない蓋材の要部斜視図である。
【図１１】側壁の接合部にピンホールができた蓋材の要部斜視図である。
【符号の説明】
【００２６】
１０  蓋材  １  商品  ２  身箱  ３  底壁  ４  周壁
１１  天板  １２Ａ〜１２Ｄ  側板  １３  折目
１４  連結用フラップ片  １５  折目
１６Ａ〜１６Ｂ  折返部  
１７  切込線  １８折目
１９  棚状構造体
【図１】
2006103734.tif 000003
【図２】
2006103734.tif 000004
【図３】
2006103734.tif 000005
【図４】
2006103734.tif 000006
【図５】
2006103734.tif 000007
【図６】
2006103734.tif 000008
【図７】
2006103734.tif 000009
【図８】
2006103734.tif 000010
【図９】
2006103734.tif 000011
【図１０】
2006103734.tif 000012
【図１１】
2006103734.tif 000013